(57)【特許請求の範囲】
【請求項１】
所定の絞りに対する開放絞りからのピント差情報を有する撮影レンズと、
撮影レンズの射出光束の一部を利用して、その撮影レンズのピント状態を検出する焦点検出装置と、
前記焦点検出装置によって検出されたピント状態と前記ピント差情報から、開放絞りでピントが合う焦点駆動量を算出し、前記開放絞りでのファインダ観察時に撮影レンズを駆動する第１駆動手段と、
前記ピント差情報に基づいて所定絞りでピントが合う焦点駆動量を算出し、前記第１駆動手段による駆動後の、前記所定絞りでの露光時またはプレビュー観察時に撮影レンズを駆動する第２駆動手段とを具備するカメラのピント合わせシステム。
【請求項２】
少なくとも２つの絞りに対する開放絞りからのピント差情報を有する撮影レンズと、
固有の検出開口を有し、撮影レンズの射出光束の一部を利用して、その撮影レンズのピント状態を検出する焦点検出装置と、
前記ピント差情報と前記検出開口の大きさと前記焦点検出装置によって検出されたピント状態とから、開放絞りでピントが合う焦点駆動量を算出し、撮影レンズを駆動する第１駆動手段と、
前記ピント差情報を用いて、前記開放絞りと所定の絞りとのピント差を算出し、その分だけ撮影レンズを駆動する第２駆動手段と、
前記第１駆動手段及び第２駆動手段を制御するとともに、撮影者がファインダーを観察している時には前記第１駆動手段を働かせておき、露光直前には、前記所定の紋りとして露光時の絞りを前記第２駆動手段に与え、露光時の絞りでピントが合うように第２駆動手段を制御する制御手段とを具備するカメラのピント合わせシステム。
【請求項３】
少なくとも２つの絞りに対する開放紋りからのピント差情報を有する撮影レンズと、
固有の検出開口を有し、撮影レンズの射出光束の一部を利用して、その撮影レンズのピント状態を検出する焦点検出装置と、
前記ピント差情報と前記検出開口の大きさと前記焦点検出装置によって検出されたピント状態とから、開放絞りでピントが合う焦点駆動量を算出し、撮影レンズを駆動する第１駆動手段と、
前記ピント差情報を用いて、前記開放絞りと所定の絞りとのピント差を算出し、その分だけ撮影レンズを駆動する第２駆動手段と、
前記第１駆動手段及び第２駆動手段を制御するとともに、撮影者がファインダーを観察している時には第１駆動手段を働かせておき、プレビュー観察をするときには、前記所定の絞りとしてプレビュー時の絞りを前記第２駆動手段に与え、プレビュー時の絞りでピントが合うように第２駆動手段を制御する制御手段とを具備するカメラのピント合わせシステム。
【発明の詳細な説明】
【０００１】
【発明の属する技術分野】
本発明は、カメラのピント合わせシステムに関する。
【０００２】
【従来の技術】
撮影レンズのピント位置は、絞りの大きさで変わるので、焦点検出装置が、撮影レンズの検出開口と概等しい大きさの絞りのピント位置を検出することが、特開昭６２−２２７１０８号公報に開示させている。複数の絞りに対する開放からのピント差情報を撮影レンズに記憶させておけば、焦点検出装置の出力から任意の特定の絞り（開放を含む）対してピントを合わせることができる。
【０００３】
撮影レンズが交換可能であり、また自動焦点検出装置を有しているカメラにおいては、ほとんど、撮影レンズは開放絞りの状態でカメラに装着されるようになっている。これは、開放絞りの方が撮影者が被写体を明るく観察できるという理由もあるが、絞って装着された場合、焦点検出装置へ行くはずの光束がケラレてしまう場合が発生してしまうという理由も大きい。したがって、撮影者は、開放絞りで被写体を観察するが、露光時には開放以外の絞りで撮影するということが発生する。露光時の絞りは、撮影者が決めることもあるし被写体の明るさからカメラが決定することもあるが、一般に開放とは異なる（もちろん開放のときもある）。
【０００４】
【発明が解決しようとする課題】
焦点検出装置の出力に基づくピントを開放絞りに合わせると、撮影者がファイダーで被写体を観察している時にはピントが合っていて望ましいが、撮影した写真は必ずしもピントが合っていない。逆に、露光時の絞りに合わせると、撮影した写真にはピントが合っているが、撮影者はピントがズレた被写体像をファインダーで観察することになる。
【０００５】
また、プレビュウ機能があるカメラでは、焦点検出装置の出力に基づくピントを開放絞りに合わせると、撮影者はプレビュウ時にはピントがズレた被写体像をファインダーで観察することになる。なお、プレビュウ機能とは、撮影レンズを絞った場合の被写体像を、撮影者がファインダーで観察できる機能である。
【０００６】
本発明は、上記の問題点に鑑みてなされたもので、撮影者がファインダーでピントが合った被写体像をいつも観察できると共に、撮影した写真もピントが合うカメラのピント合わせシステムを提供することを目的とする。
【０００７】
【課題を解決するための手段】
この目的を達成するために、請求項１の発明によるカメラのピント合わせシステムは、所定の絞りに対する開放絞りからのピント差情報を有する撮影レンズと、撮影レンズの射出光束の一部を利用して、その撮影レンズのピント状態を検出する焦点検出装置と、焦点検出装置によって検出されたピント状態とピント差情報から、開放絞りでピントが合う焦点駆動量を算出し、開放絞りでのファインダ観察時に撮影レンズを駆動する第１駆動手段と、ピント差情報に基づいて所定絞りでピントが合う焦点駆動量を算出し、第１駆動手段による駆動後の、所定絞りでの露光時またはプレビュー観察時に撮影レンズを駆動する第２駆動手段とを具備する。
【０００８】
請求項２の発明によるカメラのピント合わせシステムは、少なくとも２つの絞りに対する開放絞りからのピント差情報を有する撮影レンズと、固有の検出開口を有し、撮影レンズの射出光束の一部を利用して、その撮影レンズのピント状態を検出する焦点検出装置と、ピント差情報と検出開口の大きさと焦点検出装置によって検出されたピント状態とから、開放絞りでピントが合う焦点駆動量を算出し、撮影レンズを駆動する第１駆動手段と、ピント差情報を用いて、開放絞りと所定の絞りとのピント差を算出し、その分だけ撮影レンズを駆動する第２駆動手段と、第１駆動手段及び第２駆動手段を制御するとともに、撮影者がファインダーを観察している時には第１駆動手段を働かせておき、露光直前には、所定の紋りとして露光時の絞りを第２駆動手段に与え、露光時の絞りでピントが合うように第２駆動手段を制御する制御手段とを具備する。
請求項３の発明によるカメラのピント合わせシステムは、少なくとも２つの絞りに対する開放紋りからのピント差情報を有する撮影レンズと、固有の検出開口を有し、撮影レンズの射出光束の一部を利用して、その撮影レンズのピント状態を検出する焦点検出装置と、ピント差情報と検出開口の大きさと焦点検出装置によって検出されたピント状態とから、開放絞りでピントが合う焦点駆動量を算出し、撮影レンズを駆動する第１駆動手段と、ピント差情報を用いて、開放絞りと所定の絞りとのピント差を算出し、その分だけ撮影レンズを駆動する第２駆動手段と、第１駆動手段及び第２駆動手段を制御するとともに、撮影者がファインダーを観察している時には第１駆動手段を働かせておき、プレビュー観察をするときには、所定の絞りとしてプレビュー時の絞りを第２駆動手段に与え、プレビュー時の絞りでピントが合うように第２駆動手段を制御する制御手段とを具備する。
【０００９】
【発明の実施の形態】
以下、本発明の実施の形態を図面に基づいて説明する。
【００１０】
図１は、本発明によるカメラのピント合わせシステムの一実施例を示すブロック結線図である。
【００１１】
図１において、撮影レンズ１は内部に記憶部２を有し、この撮影レンズ１の複数の絞りに対する開放からのピント差情報を記憶している。また撮影レンズ１内にはピント調節部３があり、このピント調節部３に駆動されて撮影レンズ１のピントが調節される。撮影レンズ１はカメラボディ４に装着されるが、このとき撮影レンズ１の絞りは開放となる。カメラボディ４は、焦点検出装置５と、第１駆動手段６と、第２駆動手段７と、制御手段８とを内部に有している。
【００１２】
焦点検出装置５は、図２にクロスハッチングで示す検出開口を有する位相差型の焦点検出装置であり、撮影レンズ１を通過した光束を検出開口（図２）で受けて焦点検出を行う。第１駆動手段６は、撮影レンズ１の記憶部２と焦点検出装置５と制御手段８とに電気的につながっており、また電気的あるいは機械的に撮影レンズ１のピント調節部３につながっている。第１駆動手段６は、制御手段８からの作動命令を受けて、焦点検出装置５からの焦点検出情報と検出開口の大きさ（図２破線参照）及び記憶部２からのピント差情報に基づいて、撮影レンズ１の開放絞りでピントが合う焦点駆動量を算出し、撮影レンズ１のピント調節部３を駆動する。第２駆動手段７は、撮影レンズ１の記憶部２と制御手段８とに電気的につながっており、また電気的あるいは機械的に撮影レンズ１のピント調節部３につながっている。第２駆動手段７は、制御手段８からの作動命令と絞り情報を受けて、記憶部２からのピント差情報に基づいて焦点駆動量を算出し、ピント調節部３を介して撮影レンズ１を駆動する。
【００１３】
以下、動作について説明する。
【００１４】
今、撮影レンズ１の開放Ｆ値がＦ２．８であり、開放と絞りＦ４とのピント差が５０μｍ、開放と絞りＦ５．６とのピント差が１００μｍ、開放と絞りＦ８とのピント差が１５０μｍであるとし、この撮影レンズ１はこれら３種類のピント差情報を記憶部２に記憶しているとする。この撮影レンズ１を装着したカメラボディ４内の焦点検出装置５の検出開口の大きさを概Ｆ８とすると、この焦点検出装置５は、撮影レンズ１の絞りＦ８でのピント位置近傍で合焦信号（ズレ量０）を出力することになる。逆にいうと、撮影レンズ１の開放絞り（Ｆ２．８）のピント位置では、この焦点検出装置５は、開放とＦ８とのピント差分、概１５０μｍピントが＋側にズレていると検出する。すなわち、この撮影レンズ１を用いてある被写体にピントを合わせようとした時に、この焦点検出装置５の出力がＸμｍのときに、−（Ｘ−１５０）μｍピントがズレるように撮影レンズ１のピント調節部を駆動すれば、撮影レンズ１の開放絞りでこの被写体にピントが合うことになる。この操作を第１駆動手段６が担当する。すなわち、第１駆動手段６は、撮影レンズ１の記憶部２からピント差情報を得、また焦点検出装置５から検出開口の大きさ（この場合Ｆ８）を得て、これらより補正量（この場合１５０μｍ）を得る。焦点検出装置５から得た出力値（この場合Ｘμｍ）と先の補正量（この場合１５０μｍ）から焦点駆動量（この場合−（Ｘ−１５０）μｍ）を算出して、この分だけピント調節部３を介して撮影レンズ１を駆動する。
【００１５】
次に、撮影レンズ１をＦ５．６に絞って被写体を撮影したいとする。現時点では、撮影レンズ１の開放絞りでピントが合っているのであるから、そのまま撮影したのでは、撮影した写真は、開放とＦ５．６とのピント差分、概１００μｍピントが−側にズレた写真となってしまう。このとき、露光直前に＋１００μｍピントがズレるように撮影レンズ１を駆動すれば、撮影レンズ１の絞りＦ５．６でこの被写体にピントが合うことになる。その後に露光すれば、撮影した写真のピントはズレない。この操作を第２駆動手段７が担当する。すなわち、第２駆動手段７は、制御手段８から第一絞り（この場合開放）情報及び第二の絞り（この場合Ｆ５．６）情報を得、撮影レンズ１の記憶部２からピント差情報を得て、これらより第２駆動量（この場合＋１００μｍ）を得て、この分だけピント調節部３を介して撮影レンズ１を駆動する。
【００１６】
次に、プレビュウについて説明する。
【００１７】
撮影者がファインダーを観察している通常時には、上で説明した第１駆動手段６が働いている。ここで、撮影者が撮影レンズ１をＦ４に絞ってプレビュウしたいとする。現時点では、撮影レンズ１の開放絞りでピントが合っているのであるから、そのままプレビュウしたのでは、撮影者は、開放とＦ４とのピント差分、概５０μｍピントが−側にズレた被写体像を観察することになってしまう。このとき、露光直前に＋５０μｍピントがズレるように撮影レンズ１を駆動すれば、撮影レンズ１の絞りＦ４でこの被写体にピントが合うことになる。この操作を第２駆動手段７が担当する。すなわち、第２駆動手段７は、制御手段８から第一絞り（この場合開放）情報及び第二の絞り（この場合Ｆ４）情報を得、撮影レンズ１の記憶部２からピント差情報を得て、これらより第２駆動量（この場合＋５０μｍ）を得て、この分だけ撮影レンズ１を駆動する。そして、撮影者がプレビュウを行っている間はこのままであるが、プレビュウを止める時にはその直後に、また第２駆動手段７が働く。すなわち、第２駆動手段７は、制御手段８から第一絞り（この場合Ｆ４）情報及び第二の絞り（この場合開放）情報を得、撮影レンズ１の記憶部２からピント差情報を得て、これらより第２駆動量（この場合−５０μｍ）を得て、この分だけ撮影レンズ１を駆動する。したがって、撮影者は通常時にもプレビュウ時にも、ピントが合った被写体像が観察できることになる。
【００１８】
上記の説明では、撮影レンズ１は、３種類のＦ値（Ｆ４、Ｆ５．６、Ｆ８）と開放とのピント差を記憶していたとしたが、これら以外のＦ値、たとえばＦ４．５と開放とのピント差が必要になる場合もある。このような場合について説明する。
【００１９】
開放と二つのＦ値、ＦＸ１とＦＸ２とのピント差ＰＸ１とＰＸ２が記憶してあるとする。このとき、ＦＸ１とＦＸ２の中間の絞りＦＸのピント差ＰＸは、
【００２０】
ＰＸ＝ｒ・ＰＸ１＋（１−ｒ）・ＰＸ２
と近似される。ここにｒは、
【００２１】
ｒ＝（ＦＸ２２−ＦＸ２）／（ＦＸ２２−ＦＸ１２）
である。このように近似されるので、撮影レンズ１には、そんなに多くのＦ値に対応するピント差を記憶しておく必要はない。また、このように離散的に記憶するのではなくて、ピント差をＦ値の関数として記憶しておいてもよい。
【００２２】
【発明の効果】
以上のように、本発明のカメラのピント合わせシステムによれば、焦点検出装置によって検出されたピント状態とピント差情報から、開放絞りでピントが合う焦点駆動量を算出し、撮影レンズを駆動する第１駆動手段（６）と、焦点検出装置によって検出されたピント状態とピント差情報から、所定絞りでピントが合う焦点駆動量を算出し、撮影レンズを駆動する第２駆動手段（７）とを設けたので、撮影者がファインダーを観察している時には第１駆動手段を働かせておき、露光直前には、開放から露光時の絞りでピントが合うように第２駆動手段を働かすことで、撮影者はファインダーでピントが合った被写体像をいつも観察できると共に、撮影した写真もピントが合ったものとなる。
【００２３】
また、撮影者がファインダーを観察している通常時には第１駆動手段を働かせておき、プレビュウをする直前に、開放からプレビュウ時の絞りでピントが合うように第２駆動手段を働かし、プレビュウを終えた直後には、プレビュウ時の絞りから開放でピントが合うように第２駆動手段を働かすことで、撮影者はプレビュウをしない通常時でもプレビュウ時でも常にピントが合った被写体像を観察することができる。
【図面の簡単な説明】
【図１】本発明によるカメラのピント合わせシステムの一実施例を示すブロック結線図である。
【図２】焦点検出装置の検出開口を説明する概念図である。
【符号の説明】
１    撮影レンズ
２    記憶部
３    ピント調節部
４    カメラボディ
５    焦点検出装置
６    第１駆動手段
７    第２駆動手段
８    制御手段
【図１】
0003624548.tif 000002
【図２】
0003624548.tif 000003